(57)【要約】【課題】コンクリート型枠を担持するパイプ数を減らした場合であっても、コンクリート型枠の変形、破損等を防止することのできるコンクリートパネルの担持具を提供する。【解決手段】相対するコンクリートパネル間に架け渡される連結ロッドと、コンクリートパネル間の間隔を規定する間隔規定具と、間隔規定具よりも外方へ突出する軸足に取り付けられ、間隔規定具との間でコンクリートパネルを固定する固定手段を備えたコンクリートパネルの担持具に、コンクリートパネルの外壁面側において固定手段の本体に挿通して装着される支持具５を備える。支持具５は、コンクリートパネルの外壁面に面接触で当接する鍔状の環状基部８を周囲に形成した中空略円錐台状体であり、上面６に少なくとも一条の強化溝７を備え、又上面の略中心部に固定手段を挿通可能な略長方形の差込穴１１を開口する。【選択図】　図２
2004137703.tif 000002
【特許請求の範囲】
【請求項１】
相対するコンクリートパネル間に架け渡される連結ロッドと、前記連結ロッドの両端に取り付けられ、コンクリートパネルの内壁面に当接してコンクリートパネル間の間隔を規定する間隔規定具と、前記コンクリートパネルの外壁面側より、前記間隔規定具からさらに外方へ突出する軸足に取り付けられ、前記間隔規定具との間でコンクリートパネルを固定する固定手段を備えたコンクリートパネルの担持具であって、前記コンクリートパネルの外壁面側において前記固定手段の本体に挿通して装着される支持具を備え、
前記支持具は、前記コンクリートパネルの外壁面に面接触で当接する鍔状の環状基部を周囲に形成した中空略円錐台状体であり、上面に少なくとも一条の強化溝を備え、前記上面の略中心部には前記固定手段が挿通可能な略長方形の差込穴が形成されていることを特徴とするコンクリートパネルの担持具。
【請求項２】
前記差込穴を真ん中に挟み、前記差込穴の長い辺又は短い辺と平行して延びる２本の前記強化溝が、前記支持具上面の周縁端まで延びており、前記周縁端の一部が切り欠かれていることを特徴とする請求項１に記載のコンクリートパネルの担持具。
【請求項３】
請求項２に記載の強化溝が、前記支持具の上面において２組設けられており、これらが互いに直交していることを特徴とするコンクリートパネルの担持具。
【請求項４】
前記支持具の上面において、平行して延びる２本の前記強化溝の間に角パイプ締め付け用の角パイプ用当板の底部が載置可能になっていることを特徴とする請求項２又は請求項３に記載のコンクリートパネルの担持具。
【請求項５】
相対するコンクリートパネル間に架け渡される連結ロッドと、前記連結ロッドの両端に取り付けられ、コンクリートパネルの内壁面に当接してコンクリートパネル間の間隔を規定する間隔規定具と、前記コンクリートパネルの外壁面側より、前記間隔規定具からさらに外方へ突出する軸足に取り付けられ、前記間隔規定具との間でコンクリートパネルを固定する固定手段と、前記コンクリートパネルの外壁面側において前記固定手段の本体に挿通して装着される支持具とを備えたコンクリートパネルの担持具を用いたコンクリートパネルの担持方法であって、
両端に間隔規定具が取り付けられた状態の連結ロッドを所定の間隔で配置し、前記連結ロッドの一端側に対峙して配置されるコンクリートパネルの少なくとも一方を立ち上げる工程、
前記コンクリートパネルにおいて、前記連結ロッドの配置位置に対応してあらかじめ形成された開孔に、前記間隔規定具から、前記連結ロッドよりもさらに外方へ突出して形成されている軸足を挿入し、前記軸足を前記コンクリートパネルの外面に突出させると共に、突出している前記軸足に固定手段の本体を取付ける工程、
前記本体の先端より、周囲に鍔状の環状基部が形成された中空略円錐台状体の支持具を、その中心に開口された略長方形の差込穴を通して填め込み、前記支持具の前記環状基部を前記コンクリートパネルの外面に面接触させる工程、
前記支持具の上面にコンクリートパネル保持用の鋼管を配置する工程、
角パイプ締め付け用の角パイプ用当板の少なくとも一部を前記鋼管の一部に、及び前記角パイプ締め付け用の角パイプ用当板の底部を、前記支持具の上面において平行して延びる２本の強化溝の間に配置し、前記角パイプ締め付け用の角パイプ用当板を、前記支持具の上面において安定して保持する工程、並びに、
前記本体に設けられたスリットに楔を打ち込み、前記角パイプ締め付け用の角パイプ用当板、前記鋼管及び前記支持具を前記コンクリートパネルとの間において固定する工程、
とからなることを特徴とするコンクリートパネルの担持方法。
【発明の詳細な説明】
【０００１】
【発明の属する技術分野】
本発明は、コンクリート型枠のパネル（コンクリートパネル）変形防止用の治具に関する。より詳しくは、相対して配置されたコンクリートパネル間に打設されるコンクリートが固まる迄の間、コンクリートパネルを担持するための担持具、特にその支持治具（支持具）、及びこれを用いたコンクリートパネルの担持方法に関する。
【０００２】
【従来の技術】
【特許文献１】特開平１１−１９０１２７号公報
【特許文献２】特開２００２−１５５６２３号公報
【特許文献３】特開２００２−１６７９６３号公報
【０００３】
コンクリート壁の形成は、所定間隔で互いに対峙させたパネル状のコンクリート型枠間にコンクリートを打設することにより行われるところ、このようにコンクリートパネル間にコンクリートが打設されると、打設されたコンクリートの圧力によりコンクリートパネルには極めて大きな側圧が作用する。
そのため、コンクリートパネル間に打ち込まれたコンクリートが固まるまでの間、コンクリートパネルが変形、位置ずれ等することを防止してコンクリートパネルが当初設定された間隔を維持するよう担持具にて担持・固定されている。
【０００４】
従来、このようなコンクリートパネルの担持手法としては、円形又は矩形断面の鋼管を格子状に組んだ組鋼管で担持する手法が挙げられる（図７，図８参照）。図７はコンクリートパネル（１０）の外面に担持手段を施工した様子を外側から見たときの説明図である。同図において破線で示すのは、このときの縦鋼管（４０）であり、実線で示すものが横方向に架け渡された横鋼管（３０，３０’）である。尚比較のため、本発明に係る支持具５を設けた場合も実線で表記してある。従来技術を説明する際に図７中に示された円形の支持具５は考慮しない。また、図８は上記担持手段が施されたコンクリートパネル（１０）を側面から見た際の要部断面図である。
図７中、１０はパネル状に形成されたコンクリート型枠であり、対峙して配置されたパネル１０を押圧するために縦・横のパイプ４０、３０，３０’が格子状に組まれている。このとき、図８に示すように相対峙するパネル１０間に架け渡される軸棒状の連結ロッド（セパレータ）３の端部に間隔規定具４を螺合し、さらにこの間隔規定具４の他端に形成された軸足１４に、例えばフォームタイ（登録商標）等である固定手段２の本体２ａを螺合する。
この固定手段２の本体２ａはパネル１０の外側において横方向に並行に架け渡された２本のパイプ３０，３０’の間から外方へ突出しており、横のパイプ３０，３０’を、これらと係合し得る当板４１’を固定手段に取り付けてから、ナット２ｃ等により締め付け、コンクリートパネル１０の外壁面に対して固定する。固定手段２のナット２ｃを締め付けると、当板４１’に係止された横のパイプ３０，３０’がパネル１０に向かって押圧され、この横のパイプ３０，３０’により押圧された縦のパイプ４０がパネル１０の外面に圧接されてコンクリート型枠が担持される。
【０００５】
前述の構成を有する従来手段（組鋼管）により担持されたコンクリートパネルにあっては、間隔規定具４と固定手段２の間に実際に挟持され、担持されているパネル１０の面積が極めて狭いため、パネル１０の外面に多数のパイプ（４０、３０，３０’）を当接させてこのパイプによりパネル１０に作用する側圧を分散し得るようにされている。そのため多量のパイプ（４０、３０，３０’）を使用する必要があり、運搬、設置に多大な労力と費用を費やす必要があるほか、保管、管理に広大な場所と労力をも必要とする。
これに対して使用されるパイプの本数を減らすことができるものとしては、特開平１１−１９０１２７号公報のコンクリート型枠担持具、特開２００２−１５５６２３号公報のコンクリート支保治具、特開２００２−１６７９６３号公報のコンクリート型枠担持具が知られている。この内、特開平１１−１９０１２７号公報のコンクリート型枠担持具を一例として図９に示す。
【０００６】
【発明が解決しようとする課題】
［特開平１１−１９０１２７号公報のコンクリート型枠担持具］
しかしながら、特開平１１−１９０１２７号公報のコンクリート型枠担持具は、支持具５０が合板型枠１２（以下、上掲した公報において付された符号を使用）や押さえ板７０に押圧された際に鍔部５４が弾性変形し、これらの表面に均一かつ確実に圧接し得るよう構成されているもので、支持具５０自体には合板型枠１２や押え板７０の外面を押さえ込むという作用が欠乏しており、縦のパイプ９２またはさん木９２’の代用にはならない。
【０００７】
［特開２００２−１５５６２３号公報のコンクリート支保治具］
特開２００２−１５５６２３号公報のコンクリート支保治具は、合板型枠１（以下、上掲した公報において付された符号を使用）や押え板３０の外壁面との接触面積を増すことを目的として、金属製帽子状体３３に陥没部２６を備えることをその特徴としているが、かかる構成では、パイプ３と金属製帽子状体３３との接触面積は反対に減少し、金属製帽子状体３３の頂部におけるパイプの支持は安定性を欠くものとなる。
又横方向のパイプ３として矩形の角パイプを使用する際、金属製帽子状体３３の底面側に形成された陥没張出凹部４５は、角パイプ締め付け用の角パイプ用当板４３の収納部として形成されているところ、金属製帽子状体３３の中心に開口された貫通孔３８は丸穴であるため、当該貫通孔３８にフォームタイ６を挿通して金属製帽子状体３３をコンクリート型枠１に当接させたときの陥没張出凹部４５の位置は常に一方向に一様に整列配置されるとは限らない。そうすると、横方向のパイプとして角パイプを使用する場合には、一旦ナット８を締め込んで固定した後、角パイプ用当板４３の収納部として機能する陥没張出凹部４５の位置合わせが必要な場合が生じ、その場合には再びナット８を緩めて調整を行わなければならず、作業効率が悪い。
従って、このようなコンクリート型枠の担持治具（支持具）においては、横方向のパイプに角パイプを使用する場合は、当該角パイプ締め付け用の角パイプ用当板を、支持具の向いている方向に拘わらず自由に配置可能な構造となっていることが望ましい。
加えて、上掲した公報に開示されたコンクリート支保治具にあっては、角パイプ締め付け用の角パイプ用当板４３を直接型枠１に当接させているので、当板自身に強い力が加えられた場合には、型枠１を損傷してしまう虞がある。
従って、このような角パイプ締め付け用の角パイプ用当板を使用することを想定すれば、角パイプ締め付け用の角パイプ用当板の底部が支持具上に安定して載置可能な構造となっていて、当該当板に加えられた力をコンクリートパネル上に有効に分散させ得るように構成されていることが望ましい。
【０００８】
［特開２００２−１６７９６３号公報のコンクリート型枠担持具］
特開２００２−１６７９６３号公報のコンクリート型枠担持具では、押圧金具８０（以下、上掲した公報において付された符号を使用）が特殊形状であるため、上からナット６６を螺合することによって固定することが必須となり、担持具一個当りの作業に際し、逐一ナットを電動ドリルに取り付けてから締めて行かねばならず、作業効率が悪く、施工遅延の問題が生じる。
又従来から市販されている、縦横に組み合わせた金属パイプによってコンクリート型枠を担持する際に使用される締結金具（座金等）を使用出来ないことから、コストの面でも問題となる。
【０００９】
そこで、本発明の目的は、上記従来技術に存する欠点を解消することにあり、要するに、本発明は安価に利用可能および迅速に施工可能で、コンクリートパネルを担持する性能が高く、かつ、担持する際にコンクリートパネル表面を傷めることの無いコンクリートパネルの担持具を提供することを課題とするものである。
【００１０】
即ち、角パイプ締め付け用の角パイプ用当板を特別な手間を費やすことなく安定に配置、保持するのに適した形状を成す支持具を有しており、加えて支持具自身の変形を有効に防止可能なコンクリートパネルの担持具であってコンクリートパネルを強固に担持できると共に、使用するパイプやさん木の本数を削減でき、さらに形成されるコンクリート壁の規模によっては、パイプやさん木を使用しなくてもコンクリートパネルを確実に担持でき、それによりパイプやさん木の使用量の減少に伴う設置工事や運搬、保管の際の労力と費用の軽減が実現可能なコンクリートパネルの担持具を提供することを目的とする。
【００１１】
本発明は又、「組鋼管によってコンクリートパネルを担持する」従来工法において用いられる市販の、スリットの設けられたフォームタイと、当該スリットに挿通可能な楔とからなり、両者を組合せて使用する固定手段を転用でき、楔の打ち込み作業だけで迅速確実に固定され得るコンクリートパネルの担持具を得ること、又これを用いたコンクリートパネルの担持方法を得ることを課題とする。
【００１２】
【課題を解決するための手段】
本発明者は、角パイプ締め付け用の角パイプ用当板と支持具とが相互に干渉してコンクリート打設作業を行う際に妨げとなる様なものではなく、かつ、上記当板を支持具に対して直接適用した場合であっても、支持具の変形を有効に抑えることが可能なコンクリートパネルの支持具及びこれを用いた担持具を得るべく鋭意検討を重ねた結果、以下の構成からなる担持具とすることにより、上記目的を達成可能なことを見い出し、本発明を完成した。
上記目的を達成するために、本発明のコンクリートパネルの担持具は、相対するコンクリートパネル間に架け渡される連結ロッドと、前記連結ロッドの両端に取り付けられ、コンクリートパネルの内壁面に当接してコンクリートパネル間の間隔を規定する間隔規定具と、前記コンクリートパネルの外壁面側より、前記間隔規定具からさらに外方へ突出する軸足に取り付けられ、前記間隔規定具との間でコンクリートパネルを固定する固定手段を備えたコンクリートパネルの担持具であって、前記コンクリートパネルの外壁面側において前記固定手段の本体に挿通して装着される支持具を備え、前記支持具は、前記コンクリートパネルの外壁面に面接触で当接する鍔状の環状基部を周囲に形成した中空略円錐台状体であり、上面に少なくとも一条の強化溝を備え、前記上面の略中心部には前記固定手段が挿通可能な略長方形の差込穴が形成されていることを特徴とするものである。
【００１３】
又本発明によるコンクリートパネルの担持方法は、上記の特徴を有するコンクリートパネルの担持具を用いたコンクリートパネルの担持方法であって、
両端に間隔規定具が取り付けられた状態の連結ロッドを所定の間隔で配置し、前記連結ロッドの一端側に対峙して配置されるコンクリートパネルの少なくとも一方を立ち上げる工程、
前記コンクリートパネルにおいて、前記連結ロッドの配置位置に対応してあらかじめ形成された開孔に、前記間隔規定具から、前記連結ロッドよりもさらに外方へ突出して形成されている軸足を挿入し、前記軸足を前記コンクリートパネルの外面に突出させると共に、突出している前記軸足に固定手段の本体を取付ける工程、
前記本体の先端より、周囲に鍔状の環状基部が形成された中空略円錐台状体の支持具を、その中心に開口された略長方形の差込穴を通して填め込み、前記支持具の前記環状基部を前記コンクリートパネルの外面に面接触させる工程、
前記支持具の上面にコンクリートパネル保持用の鋼管を配置する工程、
角パイプ締め付け用の角パイプ用当板の少なくとも一部を前記鋼管の一部に、及び前記角パイプ締め付け用の角パイプ用当板の底部を、前記支持具の上面において平行して延びる２本の強化溝の間に配置し、前記角パイプ締め付け用の角パイプ用当板を、前記支持具の上面において安定して保持する工程、並びに、
前記本体に設けられたスリットに楔を打ち込み、前記角パイプ締め付け用の角パイプ用当板、前記鋼管及び前記支持具を前記コンクリートパネルとの間において固定する工程、とからなることを特徴とするものである。
【００１４】
本発明に係る上記の支持具は、横方向のパイプが２本並列で使用される場合、また単独で使用される場合、更に横方向のパイプがない場合のいずれの場合であっても適用可能である。横方向に角パイプが単独で架け渡されている場合には角パイプ締め付け用の角パイプ用当板が支持具上面に直接適用され、押圧される。この当板は、支持具上面に設けられた強化溝の間に置かれ、支持具の上面において安定に保持される。
【００１５】
又本発明に係る支持具に設けられる強化溝は、支持具の上面において井桁状に形成されることが好適である。互いに平行して延びている２本の強化溝の間隔は、これらの間に角パイプ締め付け用の角パイプ用当板を十分安定に保持し得る程度にされている。従って、上記当板が２本の強化溝の中間部分に適用され、角パイプ締め付け用の角パイプ用当板から支持具上面へ大きな力が加わっても、これにより支持具上面が凹むようなことはない。また、角パイプ締め付け用の角パイプ用当板から加わった力は、支持具上面から更に分散されてコンクリートパネルへと達するので、従来のように角パイプ締め付け用の角パイプ用当板がコンクリートパネル表面を損傷するようなことも起こらない。
【００１６】
さらに支持具自身の変形は、支持具自体を比較的厚肉の鋼板等を用いて形成することによって最小限に抑えられ、鍔状の環状基部の底面は上記コンクリートパネルの平面と平行度を保ったまま圧接される。従って、支持具とコンクリートパネルの間の接触面積も十分に確保されるため、安定してコンクリートパネルを支持できる。
【００１７】
【発明の実施の形態】
以下、本発明の実施形態につき説明する。
【００１８】
本発明のコンクリートパネルの担持具において、コンクリートパネル間に架け渡される連結ロッドたるセパレータ３、このセパレータ３に取り付けられる座金、Ｐコン、或いはハリＰコン等の間隔規定具４、この間隔規定具４に設けられた軸足１４に連結される固定手段２（２ａ、２ｂ）を備える点については、先に説明した従来技術に係るコンクリートパネルの担持具と同様である。これらの部材の係合関係は図１に示す通りであるが、その施工の流れについて以下、概略説明する。
【００１９】
すなわち、相対峙する２枚のコンクリートパネル１０間に架け渡されるセパレータ３の両端に、コンクリートパネル１０の内壁面に当接してコンクリートパネルの間隔を規定する間隔規定具４を取り付け、該間隔規定具４の他端に固定手段２の本体２ａを取り付ける。上記間隔規定具４の軸足１４をコンクリートパネル１０の外壁面より突出させ、コンクリートパネルの外側より固定手段２の本体２ａを螺合する。この本体２ａに支持具５を挿通して装着する。その後、本体２に設けられたスリット１２に楔２ｂが打ち込まれることにより、支持具５は直接、またはパイプ３０及びそれに加えて当板４１を介してコンクリートパネル１０に押圧され、固定される（図１，図４，図６参照）。
【００２０】
【実施例】
次に、本発明の好ましい一実施例を添付図面を参照しながら以下説明する。
【００２１】
図１は、本発明に係るコンクリートパネルの担持具の要部断面図である。
図中、５は支持具、７は強化溝、１１は差込穴、４１は角パイプ締め付け用の角パイプ用当板、２は固定手段であり、好ましくはフォームタイとして市販されている金具のようなもの、３はセパレータ、１０はコンクリートパネル、３０は横（水平）方向に延びるパイプである。尚間隔規定具４としては座金、Ｐコン、或いはハリＰコンとして市販されている部材等が挙げられるが、本実施例ではＰコンとして市販されている部材が好適である。
固定手段２としては、現在、フォームタイ（登録商標）として種々の形態のものが市販されているが、軸棒状の本体２ａの途中にスリット１２が形成されているものであって、当該スリット１２に固定用の楔２ｂを差し込めるようになっているものが好適である。
本実施例では、支持具５は厚さ２ｍｍの鋼板からなっており、強化溝７、胴部１３及び鍔状の環状基部８の形成は、共にプレスによって一体成型で行われている。
【００２２】
次に図２は、本発明に係る支持具の一実施例を上面から見た図である。以下、先程の図１および図２を用いて、本実施例の支持具の構成につき説明する。
本実施例における支持具５は、コンクリートパネル１０の外面に面接触で当接する鍔状の環状基部８を周囲に形成した中空略円錐台状体である。支持具５の上面には、強化溝（７ａ〜７ｄ）が形成されているほか、その中心部分には、フォームタイ（登録商標）の軸棒状の本体２ａ貫通用の差込穴１１が開けられている。尚環状基部８には、支持具固定用釘穴９が少なくとも一箇所設けられており、支持具５をコンクリートパネル１０に直接釘留めして仮固定できるようになっている。
【００２３】
［強化溝］
又図２に示す通り、それぞれの強化溝（７ａ〜７ｄ）は、基部１３の上面６において端から端まで一直線に延びている。
本実施例では、２本で１組をなす強化溝（７ａ，７ｂ）が差し込み穴１１を中心に一定距離を保持しながら平行に延びており、これに直交する別の１組の強化溝２本（７ｃ，７ｄ）も同様に差し込み穴１１を中心に一定距離を保持しながら平行に延びている。したがって、支持具５の上面６には、強化溝７ａ〜７ｄが井桁状に形成されている。平行に延びる２本の強化溝（７ａ，７ｂ又は７ｃ，７ｄ）の間隔は、本実施例ではおよそ７０ｍｍである。又本実施例においては、各組の強化溝（７ａ及び７ｂ、又は７ｃ及び７ｄ）は、差込穴１１を真ん中に挟み、差込穴の長い辺又短い辺と平行して延びているほか、強化溝は支持具上面の周縁端１６まで延びており、従って周縁端１６の一部は、側面視において切り欠かれた様な態をなしている。
本実施例では、各強化溝（７ａ〜７ｄ）の幅は約１０ｍｍで、溝深さは約１０ｍｍである。強化溝（７ａ〜７ｄ）の断面形状は、矩形或いは半円形であっても、その他適宜多角形状のものであっても同様に構わない。
【００２４】
本実施例において強化溝７ａ〜７ｄは上面６に井桁状に形成され、かつ、互いに平行する２本の強化溝（７ａ，７ｂ又は７ｃ，７ｄ）の間隔は、角パイプ締め付け用の角パイプ用当板４１の幅に応じた適当な間隔とされる。このような構成を採ることで、角パイプ締め付け用の角パイプ用当板４１は、支持具の上面６において安定して保持される。
角パイプ締め付け用の角パイプ用当板４１から、支持具に対して一点集中的に力が掛けられても、強化溝７ａ〜７ｄによる支持具の補強の効果により、支持具５はしなったりせず、凹みや変形が生じる可能性は極力排除される。
【００２５】
［施工方法］
次に、本実施例に係るコンクリートパネルの担持具を用いたコンクリートパネルの担持方法につき説明する。
まず両端に間隔規定具４が取り付けられた状態のセパレータ３を、例えば完成後のコンクリート壁内に埋設される補強用の鉄筋等に仮止めして所定の間隔で配置する。
上記セパレータ３の配置が完了すると、上記セパレータ３の一端側に対峙して配置されるコンクリートパネル１０の一方を立ち上げる。
このコンクリートパネル１０には、セパレータ３の配置位置に対応した開孔１５が設けられており、上記コンクリートパネルを立ち上げると共に上記開孔１５内に、間隔規定具より外方へ突出している軸足１４を挿入する。
開孔１５に軸足１４が挿入されると、この軸足１４はコンクリートパネル１０の外面に突出するが、突出した軸足１４には固定器具２の本体２ａが螺合により取り付けられる。その後支持具５の上面に開けられた差込穴１１に本体２ａを挿通して支持具５を填め込み、本体２ａの側面のスリット１２に楔２ｂを差し込んだ後、これを打ち込んで支持具５を固定する。
【００２６】
図３は、図１および図２を用いて説明した本実施例の支持具５を上記した方法で施工した様子を示すものである。尚本体２ａ、楔２ｂ及び角パイプ固定用押え板４１については図示せず省略している。図中、３３はパネル１０の側部に設けられているさん木であり、パネルが横方向に連続して配置される場合、隣り合うさん木は釘等で互いに連結されている。
図３は高さ３ｍ、幅４ｍ、厚さおよそ４００ｍｍ（図示せず）のコンクリート壁を造成する場合を一例として示したものであり、縦方向には、高さ１８００ｍｍ（Ｌ１）と、１２００ｍｍ（Ｌ２）のパネルが縦方向に連続して設けられる。一方、パネルの横方向の幅は９００ｍｍであり、必要に応じてパネルは横方向に連続して配置される。本実施例では、上記の幅９００ｍｍ×高さ１８００ｍｍ（Ｌ１）のサイズのパネル１０の一枚当りに８個の支持具５が配置される。尚本実施例では上下のパネルの継ぎ目上にも支持具５が幅方向に２個配置されている。
図３に例示する規模のコンクリート壁を造成する場合、従来の組鋼管でコンクリートパネルを担持する工法では、図７において破線で表すように、さん木による支持の他に縦方向に３本余分の鋼管を配する必要があったところ、本実施例による支持具を使用すれば縦方向に別途パイプを設ける必要は無く、縦方向の補強はパネルの幅方向両端に設けられたさん木３３のみで十分対応出来る。尚本実施例ではパイプは６０ｍｍ角の矩形鋼管、さん木３３については、幅３０ｍｍで、コンクリート壁の厚さ方向の長さは矩形鋼管の幅と同様の６０ｍｍである。
【００２７】
又本実施例の支持具５は、図１に示すように横方向のパイプ３０が単管で構成される場合だけでなく、２本のパイプ（３０，３０’）を近接平行させた場合にも適用可能である（図４，５）。その際、図４又は図５に示す通り、２本のパイプ３０，３０’は若干間隔を空けて配置され、固定手段２の本体２ａはその隙間を通って延びている。
【００２８】
さらに、造成するコンクリート壁の規模にもよるが、横方向にパイプを全く架設せず、本発明に係る支持具のみによってコンクリートパネルを担持することも可能であり（図６参照）、このときの作業時間、費用は、パイプを架設する場合に比べ大幅に削減される。このとき、本体２ａの軸線上には、複数のスリットが設けられており、一方、コンクリートパネル１０の外側表面と支持具５の上面６との間隔（高さ）は鋼管の直径又は一辺の長さと略同一とされているので、各種金具類（２ａ，２ｂ，４１）は通常の組鋼管に使用するのと同じ態様で利用できる。
【００２９】
尚本実施例では、間隔規定具４の一端には軸足１４が設けられているが、セパレータ３、軸足１４、そして固定手段２の本体２ａは同軸上に配置されていることより、例えばセパレータ３と軸足１４とが一体に形成され、これにネジ溝が切られた穴を有する間隔規定具４が螺合されているような形であっても、或いは固定手段２の本体２ａと軸足１４とが一体に形成され、軸足１４の下端が間隔規定具４に螺合されているような形であっても同様に本実施例に係る支持具５を使用出来る。
又本発明に係る担持具においては、従来同様、本体２ａに形成したネジ溝にナット２ｃを螺合して、支持具５をコンクリートパネル１０に固定する手法も利用し得ることは言うまでもない。
【００３０】
【発明の効果】
以上に詳述した、本発明のコンクリートパネルの担持具を使用すれば、次のような優れた効果が得られる。特に、本体に設けられたスリットに挿通可能な楔を組み合わせて使用する固定手段（金具）が転用出来、このとき、支持具の固定は本体のスリットに楔を打ち込むだけで済むため、一連の作業は素早くでき、作業時間及び労力を軽減できると共に、ひいては工期短縮に寄与するという顕著な効果が得られる。
【００３１】
本発明による担持具を使用してコンクリートパネルの担持を行う場合には、特に縦方向のパイプを大幅に削減できる。組鋼管でコンクリート型枠を担持していた従来の場合、幅９００ｍｍ、高さ１８００ｍｍのパネルを使用して、例えば、高さ３ｍ、幅４ｍ、コンクリート厚４００ｍｍのコンクリート壁を造成するには、３本の縦パイプを必要としたが、本発明の一実施例による支持具５を使用した場合には、このような余分の縦パイプは不要となる。この支持具５を使用した場合、垂直方向における支持部材は、コンクリートパネルの左右両端に設けられるさん木があれば十分である。
【００３２】
本発明の支持具は、基部上面とコンクリートパネルの表面との間隔が、縦方向の鋼管幅、或いは縦方向に延びるさん木の厚みと略同一となる様に形成されており、そのため本発明に係る支持具を使用した場合であっても、従来からの組鋼管によるコンクリート型枠の支持に用いられているフォームタイや当板、座金等の各種金具類をそのまま何の改変も施さずに利用出来る。従って、フォームタイやその他の金具類を特注で調達する必要なく、金具類の部品不足が起こる虞は少なく、コンクリート壁の施工を安価かつ迅速に行うことができる。特に、市販の金具類の内でも、スリットに楔を差込む手法による固定手段が選択出来る点は、非常に有用である。
【００３３】
また、支持具の中心部分に開口された孔は、固定手段の断面形状に合わせて矩形とされているため、コンクリートパネル上において支持具及びこれに設けられた強化溝を常に一定方向に一様に配置することが出来、従来のように角パイプ締め付け用の角パイプ用当板（４１）の位置ずれに伴って担持具を逐一再調整する作業は全く不要となり、作業時間の短縮や、工期遅延の問題解消にも寄与する。又上記構成により、角パイプ締め付け用の角パイプ用当板（４１）の底部を、支持具の上面において略平行に配された強化溝の丁度真ん中部分に安定して載置することができるため、角パイプ締め付け用の角パイプ用当板（４１）を介した場合であっても、横方向のパイプを支持具に対し常時安定に固定できる。
【図面の簡単な説明】
【図１】本発明の一実施例を示す支持具の中央側断面図である。
【図２】本発明の一実施例を示す支持具の上面図である。
【図３】本発明の支持具をコンクリートパネルに取り付けた状態を示す説明図である。
【図４】本発明の一実施例を示す支持具の中央側断面図である。
【図５】本発明の担持具をコンクリートパネルに取り付けた状態を示す説明図である。
【図６】本発明の一実施例を示す支持具の中央側断面図である。
【図７】コンクリートパネルの外面に格子状に鋼管が組まれた様子を示す説明図である。
【図８】コンクリートパネルを担持する従来技術を示す説明図である。
【図９】コンクリートパネルを担持する従来技術を示す説明図である。
【符号の説明】
１　コンクリートパネル担持具
２　固定手段
２ａ　本体
２ｂ　楔
２ｃ　ナット
３　セパレータ
４　間隔規定具
５　支持具
６　上面
７　強化溝
７ａ　強化溝
７ｂ　強化溝
７ｃ　強化溝
７ｄ　強化溝
８　鍔状の環状基部
９　支持具固定用釘穴
１０　コンクリートパネル
１１　差込穴
１２　スリット
１３　胴部
１４　軸足
１５　開孔
１６　周縁端
２０　本体の端部
３０　横方向のパイプ
３０’　横方向のパイプ
３３　さん木
４０　縦方向のパイプ
４１　角パイプ締め付け用の角パイプ用当板
４１’　当板
【図１】
2004137703.tif 000003
【図２】
2004137703.tif 000004
【図３】
2004137703.tif 000005
【図４】
2004137703.tif 000006
【図５】
2004137703.tif 000007
【図６】
2004137703.tif 000008
【図７】
2004137703.tif 000009
【図８】
2004137703.tif 000010
【図９】
2004137703.tif 000011